(57)【特許請求の範囲】
【請求項１】
電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねと、前記両電圧側極刃受ばねの双方と電気的に接続される電圧側極端子板と、前記電圧側極端子板とともに速結端子を構成する錠ばねと、前記両接地側極栓刃挿入孔にそれぞれ対応する両接地側極刃受ばねと、前記両接地側極刃受ばねの双方と電気的に接続される接地側極端子板と、前記接地側極端子板とともに速結端子を構成する錠ばねと、接地極用の前記接地極一体刃受ばねおよび錠ばねと電圧側極用の前記両電圧側極刃受ばね、電圧側極端子板および錠ばねと接地側極用の前記両接地側極刃受ばね、接地側極端子板および錠ばねとをそれぞれ前記カバーとともに絶縁壁を介して内部に収納するボディとを備え、前記接地極一体刃受ばねの両接地極刃受ばねには、前記ボディの内部底面側から前記カバーの内面に伸びてそのカバーの内面に先端が当接する浮き上がり防止用の突部が形成されていることを特徴とする接地極付きダブルコンセント。
【請求項２】
電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねと、前記両接地極刃受ばねの双方と電気的に接続される接地極端子板と、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねと、前記両接地側極刃受ばねの双方と電気的に接続される接地側極端子板と、前記接地側極端子板とともに速結端子を構成する錠ばねと、接地極用の前記両接地極刃受ばね、接地極端子板および錠ばねと電圧側極用の前記電圧側極一体刃受ばねおよび錠ばねと接地側極用の前記両接地側極刃受ばね、接地側極端子板および錠ばねとをそれぞれ前記カバーとともに絶縁壁を介して内部に収納するボディとを備え、前記電圧側極一体刃受ばねの両電圧側極刃受ばねには、前記ボディの内部底面側から前記カバーの内面に伸びてそのカバーの内面に先端が当接する浮き上がり防止用の突部が形成されていることを特徴とする接地極付きダブルコンセント。
【請求項３】
電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねと、前記両接地極刃受ばねの双方と電気的に接続される接地極端子板と、前記接地極端子板とともに速結端子を構成する錠ばねと、前記両電圧側極栓刃挿入孔にそれぞれ対応する両電圧側極刃受ばねと、前記両電圧側極刃受ばねの双方と電気的に接続される電圧側極端子板と、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記両接地極刃受ばね、接地極端子板および錠ばねと電圧側極用の前記両電圧側極刃受ばね、電圧側極端子板および錠ばねと接地側極用の前記接地側極一体刃受ばねおよび錠ばねとをそれぞれ前記カバーとともに絶縁壁を介して内部に収納するボディとを備え、前記接地側極一体刃受ばねの両接地側極刃受ばねには、前記ボディの内部底面側から前記カバーの内面に伸びてそのカバーの内面に先端が当接する浮き上がり防止用の突部が形成されていることを特徴とする接地極付きダブルコンセント。
【請求項４】
電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記接地極一体刃受ばねおよび錠ばねと電圧側極用の前記電圧側極一体刃受ばねおよび錠ばねと接地側極用の前記接地側極一体刃受ばねおよび錠ばねとをそれぞれ前記カバーとともに絶縁壁を介して内部に収納するボディとを備え、前記接地極一体刃受ばねの両接地極刃受ばね、前記電圧側極一体刃受ばねの両電圧側極刃受ばね、および前記接地側極一体刃受ばねの両接地側極刃受ばねには、それぞれ前記ボディの内部底面側から前記カバーの内面に伸びてそのカバーの内面に先端が当接する浮き上がり防止用の突部が形成されていることを特徴とする接地極付きダブルコンセント。
【請求項５】
電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記接地極一体刃受ばねおよび錠ばねと電圧側極用の前記電圧側極一体刃受ばねおよび錠ばねと接地側極用の前記接地側極一体刃受ばねおよび錠ばねとをそれぞれ前記カバーとともに絶縁壁を介して内部に収納するボディとを備え、前記接地極一体刃受ばねの両接地極刃受ばね、前記電圧側極一体刃受ばねの両電圧側極刃受ばね、および前記接地側極一体刃受ばねの両接地側極刃受ばねには、それぞれ前記ボディの内部底面側から前記カバーの内面に伸びてそのカバーの内面に先端が当接する浮き上がり防止用の突部が形成され、前記電圧側極一体刃受ばねの両電圧側極刃受ばね、および前記接地側極一体刃受ばねの両接地側極刃受ばねの前記ボディと当接する面の端部には位置ずれ防止用の突部が形成され、位置ずれ防止用の突部が嵌入される位置決め溝部が前記ボディの内部底面に形成されていることを特徴とする接地極付きダブルコンセント。
【発明の詳細な説明】
【０００１】
【発明の属する技術分野】
本発明は、接地極栓刃、電圧側極栓刃および接地側極栓刃または一対の栓刃が突設される電源プラグの栓刃抜け止め機構を有する接地極付きダブルコンセントに関するものである。
【０００２】
【従来の技術】
従来、図８に示す接地極栓刃Ｐ１０、平板状の電圧側極栓刃Ｐ１１および接地側極栓刃Ｐ１２が突設される電源プラグＰ１または図９に示す平板状の一対の栓刃Ｐ２１が突設される電源プラグＰ２の栓刃抜け止め機構を有する接地極付きダブルコンセント（以下単にコンセント）が種々市販されている。
【０００３】
この種のコンセントでは、各刃受ばねに突起を形成し（図示せず）、この突起を上記図８，図９に示す各栓刃に穿設された孔ＴＨに嵌入させることで、電源プラグがコンセントから抜けないようにしている。
【０００４】
図１０は従来のコンセントに内蔵される接地極用の端子板（端子金具）および刃受ばねを示す図、図１１は従来のコンセントに内蔵される電圧側極用の端子板（端子金具）および刃受ばねを示す図、図１２は従来のコンセントに内蔵される接地側極用の端子板（端子金具）および刃受ばねを示す図で、従来では、各極ごとに、２つの刃受ばねが端子板の両端でそれぞれかしめ鋲により一体化される。
【０００５】
すなわち、図１０では、接地極用の２つの刃受ばねPA１１がその端子板PA１２の両端でそれぞれかしめ鋲PA１３により一体化されている。また、図１１では、電圧側極用の２つの刃受ばねPA２１がその端子板PA２２の両端でそれぞれかしめ鋲PA２３により一体化されている。さらに、図１２では、接地側極用の２つの刃受ばねPA３１がその端子板PA３２の両端でそれぞれかしめ鋲PA３３により一体化されている。
【０００６】
このように、従来では、各極ごとに、２つの刃受ばねが端子板の両端でそれぞれかしめ鋲により一体化され、これにより、コンセントの組立て作業の高効率化が図られている。
【０００７】
【発明が解決しようとする課題】
しかしながら、上記のような従来のコンセントでは、２つの刃受ばねを端子板の両端でそれぞれかしめ鋲により一体化する作業が必要となり、加えて、このような一体化作業を各極ごとに行わなければならず、コンセントの部品製造の高効率化を阻む原因となっていた。
【０００８】
本発明は、上記事情に鑑みてなされたものであり、刃受ばねと端子板とのかしめ鋲による一体化作業が不要な接地極付きダブルコンセントを提供することを目的とする。
【０００９】
【課題を解決するための手段】
上記課題を解決するための請求項１記載の発明の接地極付きダブルコンセントは、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねと、前記両電圧側極刃受ばねの双方と電気的に接続される電圧側極端子板と、前記電圧側極端子板とともに速結端子を構成する錠ばねと、前記両接地側極栓刃挿入孔にそれぞれ対応する両接地側極刃受ばねと、前記両接地側極刃受ばねの双方と電気的に接続される接地側極端子板と、前記接地側極端子板とともに速結端子を構成する錠ばねと、接地極用の前記接地極一体刃受ばねおよび錠ばねと電圧側極用の前記両電圧側極刃受ばね、電圧側極端子板および錠ばねと接地側極用の前記両接地側極刃受ばね、接地側極端子板および錠ばねとをそれぞれ前記カバーとともに絶縁壁を介して内部に収納するボディとを備え、前記接地極一体刃受ばねの両接地極刃受ばねには、前記ボディの内部底面側から前記カバーの内面に伸びてそのカバーの内面に先端が当接する浮き上がり防止用の突部が形成されていることを特徴とするものである。
【００１０】
この構成では、両接地極刃受ばねおよび接地極端子板が一の導電性金属板により成る接地極一体刃受ばねが使用されるので、両接地極刃受ばねと接地極端子板とのかしめ鋲による一体化作業が不要になる。加えて、浮き上がり防止用の突部の先端がカバーの内面に当接するので、電源プラグを引き抜いても、両接地極刃受ばねが浮き上がらなくなる。これにより、接地極一体刃受ばねの浮き上がりが防止されることになる。
【００１１】
請求項２記載の発明の接地極付きダブルコンセントは、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねと、前記両接地極刃受ばねの双方と電気的に接続される接地極端子板と、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねと、前記両接地側極刃受ばねの双方と電気的に接続される接地側極端子板と、前記接地側極端子板とともに速結端子を構成する錠ばねと、接地極用の前記両接地極刃受ばね、接地極端子板および錠ばねと電圧側極用の前記電圧側極一体刃受ばねおよび錠ばねと接地側極用の前記両接地側極刃受ばね、接地側極端子板および錠ばねとをそれぞれ前記カバーとともに絶縁壁を介して内部に収納するボディとを備え、前記電圧側極一体刃受ばねの両電圧側極刃受ばねには、前記ボディの内部底面側から前記カバーの内面に伸びてそのカバーの内面に先端が当接する浮き上がり防止用の突部が形成されているものである。
【００１２】
この構成では、両電圧側極刃受ばねおよび電圧側極端子板が一の導電性金属板により成る電圧側極一体刃受ばねが使用されるので、両電圧側極刃受ばねと電圧側極端子板とのかしめ鋲による一体化作業が不要になる。加えて、浮き上がり防止用の突部の先端がカバーの内面に当接するので、電源プラグを引き抜いても、両電圧側極刃受ばねが浮き上がらなくなる。これにより、電圧側極一体刃受ばねの浮き上がりが防止されることになる。
【００１３】
請求項３記載の発明の接地極付きダブルコンセントは、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねと、前記両接地極刃受ばねの双方と電気的に接続される接地極端子板と、前記接地極端子板とともに速結端子を構成する錠ばねと、前記両電圧側極栓刃挿入孔にそれぞれ対応する両電圧側極刃受ばねと、前記両電圧側極刃受ばねの双方と電気的に接続される電圧側極端子板と、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記両接地極刃受ばね、接地極端子板および錠ばねと電圧側極用の前記両電圧側極刃受ばね、電圧側極端子板および錠ばねと接地側極用の前記接地側極一体刃受ばねおよび錠ばねとをそれぞれ前記カバーとともに絶縁壁を介して内部に収納するボディとを備え、前記接地側極一体刃受ばねの両接地側極刃受ばねには、前記ボディの内部底面側から前記カバーの内面に伸びてそのカバーの内面に先端が当接する浮き上がり防止用の突部が形成されているものである。
【００１４】
この構成では、両接地側極刃受ばねおよび接地側極端子板が一の導電性金属板により成る接地側極一体刃受ばねが使用されるので、両接地側極刃受ばねと接地側極端子板とのかしめ鋲による一体化作業が不要になる。加えて、浮き上がり防止用の突部の先端がカバーの内面に当接するので、電源プラグを引き抜いても、接地側極刃受ばねが浮き上がらなくなる。これにより、接地側極一体刃受ばねの浮き上がりが防止されることになる。
【００１５】
請求項４記載の発明の接地極付きダブルコンセントは、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記接地極一体刃受ばねおよび錠ばねと電圧側極用の前記電圧側極一体刃受ばねおよび錠ばねと接地側極用の前記接地側極一体刃受ばねおよび錠ばねとをそれぞれ前記カバーとともに絶縁壁を介して内部に収納するボディとを備え、前記接地極一体刃受ばねの両接地極刃受ばね、前記電圧側極一体刃受ばねの両電圧側極刃受ばね、および前記接地側極一体刃受ばねの両接地側極刃受ばねには、それぞれ前記ボディの内部底面側から前記カバーの内面に伸びてそのカバーの内面に先端が当接する浮き上がり防止用の突部が形成されていることを特徴とするものである。
【００１６】
この構成では、両接地極刃受ばねおよび接地極端子板が一の導電性金属板により成る接地極一体刃受ばね、両電圧側極刃受ばねおよび電圧側極端子板が一の導電性金属板により成る電圧側極一体刃受ばね、および両接地側極刃受ばねおよび接地側極端子板が一の導電性金属板により成る接地側極一体刃受ばねが使用されるので、かしめ鋲による一体化作業が不要になる。加えて、浮き上がり防止用の突部の先端がカバーの内面に当接するので、電源プラグを引き抜いても、両接地極刃受ばね、両電圧側極刃受ばねおよび両接地側極刃受ばねがいずれも浮き上がらなくなる。これにより、接地極一体刃受ばね、電圧側極一体刃受ばねおよび接地側極一体刃受ばねの浮き上がりが防止されることになる。
【００１７】
請求項５記載の発明の接地極付きダブルコンセントは、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記接地極一体刃受ばねおよび錠ばねと電圧側極用の前記電圧側極一体刃受ばねおよび錠ばねと接地側極用の前記接地側極一体刃受ばねおよび錠ばねとをそれぞれ前記カバーとともに絶縁壁を介して内部に収納するボディとを備え、前記接地極一体刃受ばねの両接地極刃受ばね、前記電圧側極一体刃受ばねの両電圧側極刃受ばね、および前記接地側極一体刃受ばねの両接地側極刃受ばねには、それぞれ前記ボディの内部底面側から前記カバーの内面に伸びてそのカバーの内面に先端が当接する浮き上がり防止用の突部が形成され、前記電圧側極一体刃受ばねの両電圧側極刃受ばね、および前記接地側極一体刃受ばねの両接地側極刃受ばねの前記ボディと当接する面の端部には位置ずれ防止用の突部が形成され、位置ずれ防止用の突部が嵌入される位置決め溝部が前記ボディの内部底面に形成されていることを特徴とするものである。
【００１８】
この構成では、両接地極刃受ばねおよび接地極端子板が一の導電性金属板により成る接地極一体刃受ばね、両電圧側極刃受ばねおよび電圧側極端子板が一の導電性金属板により成る電圧側極一体刃受ばね、および両接地側極刃受ばねおよび接地側極端子板が一の導電性金属板により成る接地側極一体刃受ばねが使用されるので、かしめ鋲による一体化作業が不要になる。加えて、浮き上がり防止用の突部の先端がカバーの内面に当接するので、電源プラグを引き抜いても、両接地極刃受ばね、両電圧側極刃受ばねおよび両接地側極刃受ばねがいずれも浮き上がらなくなる。これにより、接地極一体刃受ばね、電圧側極一体刃受ばねおよび接地側極一体刃受ばねの浮き上がりが防止されることになる。さらに、位置ずれ防止用の突部が位置決め溝部に嵌入されて狭持されるので、電源プラグが時計回りまたは反時計回りに回動されても、電圧側極一体刃受ばねおよび接地側極一体刃受ばねが位置ずれしなくなる。これにより、正規の位置から外れる不具合が防止される。
【００２１】
【発明の実施の形態】
図１は本発明の一実施形態に係る接地極付きダブルコンセント（以下単にコンセント）の分解斜視図、図２（ａ），（ｂ）はそれぞれ取付け枠に取り付けられた状態での図１に示すコンセントの正面図および右側面図、図３〜図５はそれぞれ図１に示す接地極一体刃受ばね、電圧側極一体刃受ばねおよび接地側極一体刃受ばねの側面図、図６は接地極一体刃受ばね、電圧側極一体刃受ばねおよび接地側極一体刃受ばねが収納されたボディの正面図、図７は図６のＡ１−Ａ２線断面図で、以下これらの図を用いて本実施形態について説明する。
【００２２】
本コンセント１は、図１に示すように、大別すると、カバー２、接地極一体刃受ばね３、電圧側極一体刃受ばね４、接地側極一体刃受ばね５、これら各極の一体刃受ばねに対して使用される速結部材６、およびボディ７により構成されている。ただし、９は、コンセント１の壁埋込設置時に使用される取付け枠で、正面中央に長方形状の孔９１が形成され、この孔９１の四隅近傍にコンセント１取付け固定用の背面側に伸びる組付け枠９２を有している。
【００２３】
カバー２は、背面に開口を有し正面が上記孔９１に挿入可能な長方形状となる箱状に樹脂により形成され、その正面には、電源プラグ（例えば、図８の電源プラグＰ１参照）の接地極栓刃、電圧側極栓刃および接地側極栓刃にそれぞれ対応しほぼ同心円上に配列される円弧状の接地極栓刃挿入孔２１、電圧側極栓刃挿入孔２２および接地側極栓刃挿入孔２３が２組、その正面の長手方向に沿って配列されている（図２（ａ）参照）。また、カバー２の左右側面の各々には、背面側に、上記組付け枠９２の枠内に挿入される突部２４が２個形成されている。
【００２４】
接地極一体刃受ばね３は、図１および図３に示すように、カバー２の両接地極栓刃挿入孔２１のうち、一方の接地極栓刃挿入孔２１に挿入されて所定位置に回動される（図２（ａ）では時計回りに回動される）電源プラグの接地極栓刃に当接する接地極刃受ばね３１、および他方の接地極栓刃挿入孔２１に挿入されて所定位置に回動される電源プラグの接地極栓刃に当接する接地極刃受ばね３１を両端に有するとともに、この両端の間に外部からの図略のアース線が接触接続される接地極端子板３２を有し、これら両接地極刃受ばね３１および接地極端子板３２が一の導電性金属板により成る。
【００２５】
また、各接地極刃受ばね３１は、電源プラグの接地極栓刃を狭持するように折り曲げられて成り、下方の接地極刃受ばね３１には、下端左側にボディ７の内部底面側からカバー２の背面（内面）に伸びてそのカバーの背面に先端が当接する平板状の突部３１１が形成されている一方、上方の接地極刃受ばね３１には、上端左側にボディ７の内部底面側からカバー２の背面に伸びてそのカバーの背面に先端が当接する断面くの字状の突部３１２が形成されている（図６参照）。
【００２６】
また、接地極端子板３２は、図１に示すように、当該接地極一体刃受ばね３用の速結部材６に対するコ字状で平板状の接触部（後述の錠ばね６１とともに電線導体を圧接狭持する部分）３２１を有している。
【００２７】
このような構造を有する接地極一体刃受ばね３は、ばね性を有する導電性金属の平板を金属プレス装置で打ち抜き、次いで折曲加工で図１および図３に示す形状に折り曲げることによって得られる。
【００２８】
電圧側極一体刃受ばね４は、図１、図４および図６に示すように、カバー２の両電圧側極栓刃挿入孔２２のうち、一方（例えば上方）の電圧側極栓刃挿入孔２２に挿入されて所定位置に回動される電源プラグの電圧側極栓刃を狭持するとともにこの電圧側極栓刃に穿設された孔（例えば、図８または図９に示す孔ＴＨ参照）に一方（図６では左方）の対向面に形成される突起４１０を嵌入させる電圧側極刃受ばね４１、および他方（下方）の電圧側極栓刃挿入孔２２に挿入されて所定位置に回動される電源プラグの電圧側極栓刃を狭持するとともにこの電圧側極栓刃に穿設された孔に一方（左方）の対向面に形成される突起４１０を嵌入させる電圧側極刃受ばね４１を両端に有し、且つこの両端の間に外部からの図略の電圧側電線が接触接続される電圧側極端子板４２を有し、これら両電圧側極刃受ばね４１および電圧側極端子板４２が一の導電性金属板により成る。
【００２９】
また、各電圧側極刃受ばね４１は、電源プラグの電圧側極栓刃を狭持するように折り曲げられて成り、下方の電圧側極刃受ばね４１には、下端右側にボディ７の内部底面側からカバー２の背面に伸びてそのカバーの背面に先端が当接する平板状の突部４１１が形成されている一方、上方の電圧側極刃受ばね４１には、上端右側にボディ７の内部底面側からカバー２の背面に伸びてそのカバーの背面に先端が当接する平板状の突部４１２が形成されている。さらに、下方の電圧側極刃受ばね４１のボディ７と当接する面の端部には突部４１３が形成されている一方、上方の電圧側極刃受ばね４１のボディ７と当接する面の端部には突部４１４が形成されている（図４参照）。
【００３０】
また、電圧側極端子板４２は、図１に示すように、当該電圧側極一体刃受ばね４用の速結部材６に対するコ字状で平板状の接触部４２１を有している。
【００３１】
このような構造を有する電圧側極端子板４２は、ばね性を有する導電性金属の平板を金属プレス装置で打ち抜き、次いで折曲加工で図１および図４に示す形状に折り曲げることによって得られる。
【００３２】
接地側極一体刃受ばね５は、図１、図５および図６に示すように、カバー２の両接地側極栓刃挿入孔２３のうち、一方（例えば上方）の接地側極栓刃挿入孔２３に挿入されて所定位置に回動される電源プラグの接地側極栓刃を狭持するとともにこの接地側極栓刃に穿設された孔（例えば、図８または図９に示す孔ＴＨ参照）に一方（図６では右方）の対向面に形成される突起５１０を嵌入させる接地側極刃受ばね５１、および他方（下方）の接地側極栓刃挿入孔２３に挿入されて所定位置に回動される電源プラグの接地側極栓刃を狭持するとともにこの接地側極栓刃に穿設された孔に一方（右方）の対向面に形成される突起５１０を嵌入させる接地側極刃受ばね５１を両端に有し、且つこの両端の間に外部からの図略の接地側電線が接触接続される接地側極端子板５２を有し、これら両接地側極刃受ばね５１および接地側極端子板５２が一の導電性金属板により成る。
【００３３】
また、各接地側極刃受ばね５１は、電源プラグの接地側極栓刃を狭持するように折り曲げられて成り、下方の接地側極刃受ばね５１には、下端左側にボディ７の内部底面側からカバー２の背面に伸びてそのカバーの背面に先端が当接する平板状の突部５１１が形成されている一方、上方の電圧側極刃受ばね５１には、上端左側にボディ７の内部底面側からカバー２の背面に伸びてそのカバーの背面に先端が当接する平板状の突部５１２が形成されている。さらに、下方の接地側極刃受ばね５１のボディ７と当接する面の端部には突部５１３が形成されている一方、上方の接地側極刃受ばね５１のボディ７と当接する面の端部には突部５１４が形成されている（図５参照）。
【００３４】
また、接地側極端子板５２は、図１に示すように、当該接地側極一体刃受ばね５用の速結部材６に対するコ字状で平板状の接触部５２１を有している。
【００３５】
このような構造を有する接地側極端子板５２は、ばね性を有する導電性金属の平板を金属プレス装置で打ち抜き、次いで折曲加工で図１および図５に示す形状に折り曲げることによって得られる。
【００３６】
各速結部材６は、ばね性を有する導電性金属により図１に示すような形状に形成されて対応する極の端子板とともに外部からの電線導体を狭持する２つの錠ばね６１およびその狭持を解除するための解除釦６２により構成されている。
【００３７】
ボディ７は、正面に開口を有する箱状に樹脂により形成され、接地極用の接地極一体刃受ばね３、２つの錠ばね６１および解除釦６２と、電圧側極用の電圧側極一体刃受ばね４、２つの錠ばね６１および解除釦６２と、接地側極用の接地側極一体刃受ばね５、２つの錠ばね６１および解除釦６２とをそれぞれカバー２とともに図１に示す絶縁壁７１を介して内部に収納するものである。また、ボディ７の左右側面の各々には、正面側に、取付け枠９の組付け枠９２の枠内に挿入される突部７２が２個形成されている。また、ボディ７の内部底面には、電圧側極一体刃受ばね４の突部４１３，４１４がそれぞれ嵌入される位置決め溝部（または狭持部）７３，７４、および接地側極一体刃受ばね５の突部５１３，５１４がそれぞれ嵌入される位置決め溝部７５，７６が形成されている。また、ボディ７には、絶縁壁７１によって、接地極、電圧側極および接地側極用の速結部材６の収納室７７〜７９が形成されている。さらに、ボディ７の底部には、アース線、電圧側電線および接地側電線の各々を背面側から内部に挿入するための速結端子接続孔が穿設されている。
【００３８】
次に、上記構成の本コンセント１の組立て手順について説明すると、まず、ボディ７の収納室７７〜７９の各々に速結部材６を図１に示す状態で収納する。次いで、図６に示すように、接地極一体刃受ばね３、電圧側極一体刃受ばね４および接地側極一体刃受ばね５をそれぞれボディ７の所定位置に収納する。次いで、ボディ７の開口をカバー２で閉塞し、図２（ｂ）に示すように、一体となった各組の突部２４，７２を取付け枠９の組付け枠９２内に嵌入する。
【００３９】
このように組み立てられた本コンセント１によれば、図６に示すように、電圧側極一体刃受ばね４の突部４１３，４１４がそれぞれ位置決め溝部７３，７４に嵌入されて狭持されるので、図２（ａ）の例に示すように、電源プラグが時計回りまたは反時計回りに回動されても、電圧側極一体刃受ばね４が位置ずれしなくなる。また、接地側極一体刃受ばね５についても同様で、突部５１３，５１４がそれぞれ位置決め溝部７５，７６に嵌入されて狭持されるので、電源プラグが時計回りまたは反時計回りに回動されても、接地側極一体刃受ばね５が位置ずれしなくなる。これにより、正規の位置から外れる不具合が防止される。
【００４０】
また、本コンセント１によれば、図７に示すように、接地側極一体刃受ばね５の突部５１２の先端がカバー２の背面に当接するので、本コンセント１から電源プラグを引き抜いても接地側極一体刃受ばね５が正面側に浮き上がらなくなる。同様に、接地側極一体刃受ばね５の突部５１１の先端がカバー２の背面に当接するので、本コンセント１から電源プラグを引き抜いても接地側極一体刃受ばね５が正面側に浮き上がらなくなる。また、接地極一体刃受ばね３の突部３１１，３１２も先端がカバー２の背面に当接するので、本コンセント１から電源プラグを引き抜いても接地極一体刃受ばね３が正面側に浮き上がらなくなる。さらに、電圧側極一体刃受ばね４の突部４１１，４１２も先端がカバー２の背面に当接するので、本コンセント１から電源プラグを引き抜いても電圧側極一体刃受ばね４が正面側に浮き上がらなくなる。これにより、各極の一体刃受ばねの浮き上がりが防止されることになる。
【００４１】
以上、本実施形態によれば、各極ごとに一体刃受ばねが使用されるので、刃受ばねと端子板とのかしめ鋲による一体化作業が不要になる。
【００４２】
なお、本実施形態では、接地極、電圧側極および接地側極の全てに一体刃受ばねが使用される構成になっているが、これに限らず、接地極、電圧側極および接地側極の少なくとも１つの極に一体刃受ばねが使用される構成でもよい。
【００４３】
また、電源プラグの時計回りまたは反時計回りへの回動による位置ずれ防止用の突部は、電圧側極一体刃受ばね４および接地側極一体刃受ばね５に形成される構成になっているが、これに限らず、接地極一体刃受ばね３、電圧側極一体刃受ばね４および接地側極一体刃受ばね５の少なくとも１つに形成される構成でもよい。
【００４４】
さらに、浮き上がり防止用の突部は、接地極一体刃受ばね３、電圧側極一体刃受ばね４および接地側極一体刃受ばね５に形成される構成になっているが、これに限らず、接地極一体刃受ばね３、電圧側極一体刃受ばね４および接地側極一体刃受ばね５の少なくとも１つに形成される構成でもよい。
【００４５】
【発明の効果】
以上のことから明らかなように、請求項１記載の発明によれば、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねと、前記両電圧側極刃受ばねの双方と電気的に接続される電圧側極端子板と、前記電圧側極端子板とともに速結端子を構成する錠ばねと、前記両接地側極栓刃挿入孔にそれぞれ対応する両接地側極刃受ばねと、前記両接地側極刃受ばねの双方と電気的に接続される接地側極端子板と、前記接地側極端子板とともに速結端子を構成する錠ばねと、接地極用の前記接地極一体刃受ばねおよび錠ばねと電圧側極用の前記両電圧側極刃受ばね、電圧側極端子板および錠ばねと接地側極用の前記両接地側極刃受ばね、接地側極端子板および錠ばねとをそれぞれ前記カバーとともに絶縁壁を介して内部に収納するボディとを備え、前記接地極一体刃受ばねの両接地極刃受ばねには、前記ボディの内部底面側から前記カバーの内面に伸びてそのカバーの内面に先端が当接する浮き上がり防止用の突部が形成されていることを特徴とするので、両接地極刃受ばねと接地極端子板とのかしめ鋲による一体化作業が不要になる。加えて、接地極一体刃受ばねの浮き上がりを防止することが可能になる。
【００４６】
請求項２記載の発明によれば、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねと、前記両接地極刃受ばねの双方と電気的に接続される接地極端子板と、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねと、前記両接地側極刃受ばねの双方と電気的に接続される接地側極端子板と、前記接地側極端子板とともに速結端子を構成する錠ばねと、接地極用の前記両接地極刃受ばね、接地極端子板および錠ばねと電圧側極用の前記電圧側極一体刃受ばねおよび錠ばねと接地側極用の前記両接地側極刃受ばね、接地側極端子板および錠ばねとをそれぞれ前記カバーとともに絶縁壁を介して内部に収納するボディとを備え、前記電圧側極一体刃受ばねの両電圧側極刃受ばねには、前記ボディの内部底面側から前記カバーの内面に伸びてそのカバーの内面に先端が当接する浮き上がり防止用の突部が形成されていることを特徴とするので、両電圧側極刃受ばねと電圧側極端子板とのかしめ鋲による一体化作業が不要になる。加えて、電圧側極一体刃受ばねの浮き上がりを防止することが可能になる。
【００４７】
請求項３記載の発明によれば、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねと、前記両接地極刃受ばねの双方と電気的に接続される接地極端子板と、前記接地極端子板とともに速結端子を構成する錠ばねと、前記両電圧側極栓刃挿入孔にそれぞれ対応する両電圧側極刃受ばねと、前記両電圧側極刃受ばねの双方と電気的に接続される電圧側極端子板と、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記両接地極刃受ばね、接地極端子板および錠ばねと電圧側極用の前記両電圧側極刃受ばね、電圧側極端子板および錠ばねと接地側極用の前記接地側極一体刃受ばねおよび錠ばねとをそれぞれ前記カバーとともに絶縁壁を介して内部に収納するボディとを備え、前記接地側極一体刃受ばねの両接地側極刃受ばねには、前記ボディの内部底面側から前記カバーの内面に伸びてそのカバーの内面に先端が当接する浮き上がり防止用の突部が形成されていることを特徴とするので、両接地側極刃受ばねと接地側極端子板とのかしめ鋲による一体化作業が不要になる。加えて、接地側極一体刃受ばねの浮き上がりを防止することが可能になる。
【００４８】
請求項４記載の発明によれば、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記接地極一体刃受ばねおよび錠ばねと電圧側極用の前記電圧側極一体刃受ばねおよび錠ばねと接地側極用の前記接地側極一体刃受ばねおよび錠ばねとをそれぞれ前記カバーとともに絶縁壁を介して内部に収納するボディとを備え、前記接地極一体刃受ばねの両接地極刃受ばね、前記電圧側極一体刃受ばねの両電圧側極刃受ばね、および前記接地側極一体刃受ばねの両接地側極刃受ばねには、それぞれ前記ボディの内部底面側から前記カバーの内面に伸びてそのカバーの内面に先端が当接する浮き上がり防止用の突部が形成されていることを特徴とするので、かしめ鋲による一体化作業が不要になる。加えて、接地極一体刃受ばね、電圧側極一体刃受ばねおよび接地側極一体刃受ばねの浮き上がりを防止することが可能になる。
【００４９】
請求項５記載の発明によれば、電源プラグの接地極栓刃、電圧側極栓刃および接地側極栓刃にそれぞれ対応する接地極栓刃挿入孔、電圧側極栓刃挿入孔および接地側極栓刃挿入孔が２組、一の面の長手方向に沿って配列されるカバーと、前記両接地極栓刃挿入孔にそれぞれ対応する両接地極刃受ばねを両端に有するとともにこの両端の間に接地極端子板を有し、これら両接地極刃受ばねおよび接地極端子板が一の導電性金属板により成る接地極一体刃受ばねと、前記接地極端子板とともに速結端子を構成する錠ばねと、前記両電圧側極栓刃挿入孔にそれぞれ対応する両電圧側極刃受ばねを両端に有するとともにこの両端の間に電圧側極端子板を有し、これら両電圧側極刃受ばねおよび電圧側極端子板が一の導電性金属板により成る電圧側極一体刃受ばねと、前記電圧側極端子板とともに速結端子を構成する錠ばねと、前記両接地側極栓刃挿入孔にそれぞれ対応する両接地側極刃受ばねを両端に有するとともにこの両端の間に接地側極端子板を有し、これら両接地側極刃受ばねおよび接地側極端子板が一の導電性金属板により成る接地側極一体刃受ばねと、前記接地側極端子板とともに速結端子を構成する錠ばねと、接地極用の前記接地極一体刃受ばねおよび錠ばねと電圧側極用の前記電圧側極一体刃受ばねおよび錠ばねと接地側極用の前記接地側極一体刃受ばねおよび錠ばねとをそれぞれ前記カバーとともに絶縁壁を介して内部に収納するボディとを備え、前記接地極一体刃受ばねの両接地極刃受ばね、前記電圧側極一体刃受ばねの両電圧側極刃受ばね、および前記接地側極一体刃受ばねの両接地側極刃受ばねには、それぞれ前記ボディの内部底面側から前記カバーの内面に伸びてそのカバーの内面に先端が当接する浮き上がり防止用の突部が形成され、前記電圧側極一体刃受ばねの両電圧側極刃受ばね、および前記接地側極一体刃受ばねの両接地側極刃受ばねの前記ボディと当接する面の端部には位置ずれ防止用の突部が形成され、位置ずれ防止用の突部が嵌入される位置決め溝部が前記ボディの内部底面に形成されていることを特徴とするので、かしめ鋲による一体化作業が不要になる。加えて、接地極一体刃受ばね、電圧側極一体刃受ばねおよび接地側極一体刃受ばねの浮き上がりを防止することが可能になる。さらに、電圧側極一体刃受ばねと接地側極一体刃受ばねが正規の位置から外れる不具合を防止することができる。
【図面の簡単な説明】
【図１】本発明の一実施形態に係る接地極付きダブルコンセントの分解斜視図である。
【図２】（ａ），（ｂ）はそれぞれ取付け枠に取り付けられた状態での図１に示すコン
セントの正面図および右側面図である。
【図３】図１に示す接地極一体刃受ばねの側面図である。
【図４】図１に示す電圧側極一体刃受ばねの側面図である。
【図５】図１に示す接地側極一体刃受ばねの側面図である。
【図６】接地極一体刃受ばね、電圧側極一体刃受ばねおよび接地側極一体刃受ばねが収納されたボディの正面図である。
【図７】図６のＡ１−Ａ２線断面図である。
【図８】従来の接地極付き電源プラグを示す斜視図である。
【図９】従来の別の電源プラグを示す斜視図である。
【図１０】従来のコンセントに内蔵される接地極用の端子板および刃受ばねを示す図である。
【図１１】従来のコンセントに内蔵される電圧側極用の端子板および刃受ばねを示す図である。
【図１２】従来のコンセントに内蔵される接地側極用の端子板および刃受ばねを示す図である。
【符号の説明】
１  コンセント（接地極付きダブルコンセント）
２  カバー
３  接地極一体刃受ばね
４  電圧側極一体刃受ばね
５  接地側極一体刃受ばね
６  速結部材
７  ボディ
２１  接地極栓刃挿入孔
２２  電圧側極栓刃挿入孔
２３  接地側極栓刃挿入孔
３１  接地極刃受ばね（部）
３２  接地極端子板（部）
４１  電圧側極刃受ばね（部）
４２  電圧側極端子板（部）
５１  接地側極刃受ばね（部）
５２  接地側極端子板（部）
６１  錠ばね
６２  解除釦
【図１】
0003675201.tif 000002
【図２】
0003675201.tif 000003
【図３】
0003675201.tif 000004
【図４】
0003675201.tif 000005
【図５】
0003675201.tif 000006
【図６】
0003675201.tif 000007
【図７】
0003675201.tif 000008
【図８】
0003675201.tif 000009
【図９】
0003675201.tif 000010
【図１０】
0003675201.tif 000011
【図１１】
0003675201.tif 000012
【図１２】
0003675201.tif 000013